(57)【要約】【課題】  屋外から屋内の各リモコン機器をコントロールする場合において、双方向通信できない従来のリモコン機器についても動作確認を確実に行えるようにする。【解決手段】  ＣＰＵは、コマンド対応表のコマンド変換表テーブルでコマンドを各機器の赤外線コマンドに変換し（ステップＳ１７）、変換した赤外線コマンドを対応する機器に送信する（ステップＳ１９）。送信後、センサ（サーミスタ、ＣＣＤセンサ、マイク等）で必要な環境情報を再度取得し（ステップＳ２１）、その取得結果を、コマンド変換表の確認動作の変化の項目に記載されている結果と比較し、変化の項目の条件に適合しない場合（ステップＳ２２でＮｏと判断された場合）には、予め設定された緊急連絡先に音声メッセージ（ステップＳ２７）または文字メッセージ（ステップＳ２４）で異常を通知する。【選択図】  図１３
2005065259.tif 000002
【特許請求の範囲】
【請求項１】
外部と通信するための通信手段と、
各種リモコンのコマンドを記憶する記憶手段と、
コマンドを該当する機器に向けて送信する送信手段と、
前記コマンドによって機器が動作したかを確認する確認手段とを備えており、
確認結果を前記通信手段を通じて予め設定された外部通信端末に送信することを特徴とする通信端末装置。
【請求項２】
外部と通信するための通信手段と、
各種リモコンのコマンドを記憶する記憶手段と、
外部からの呼び出しに応答するための応答手段と、
応答後に前記通信手段を介して受信した外部からのコマンドをリモコンのコマンドに変換する変換手段と、
変換したコマンドを該当する機器に向けて送信する送信手段と、
前記コマンドによって機器が動作したかを確認する確認手段とを備えており、
確認結果を前記通信手段を通じて予め設定された外部通信端末に送信することを特徴とする通信端末装置。
【請求項３】
前記通信手段は、電話による音声メッセージにより確認結果を送信することを特徴とする請求項１または請求項２に記載の通信端末装置。
【請求項４】
前記通信手段は、メールにより確認結果を送信することを特徴とする請求項１または請求項２に記載の通信端末装置。
【請求項５】
前記通信手段が電話による音声メッセージの送信である場合、送信先である外部通信端末に優先順位をつけて優先順位の高い外部通信端末から電話をかけ、応答が無い場合に次の優先順位の外部通信端末に電話をかけなおすことを特徴とする請求項１または請求項２に記載の通信端末装置。
【請求項６】
前記通信手段がメールによる送信である場合、複数のメールアドレスが設定されている場合には全てのメールアドレスに送信することを特徴とする請求項１または請求項２に記載の通信端末装置。
【請求項７】
前記通信端末装置がファクシミリ装置であり、前記確認手段の一つがファクシミリ装置に内蔵されているプリンタヘッドの温度を検出する温度センサであることを特徴とする請求項１または請求項２に記載の通信端末装置。
【請求項８】
前記確認手段は、前記温度センサによって周囲の温度変化を検出することにより、前記機器が動作したかを確認することを特徴とする請求項７に記載の通信端末装置。
【請求項９】
前記通信端末装置がＣＣＤセンサを内蔵した装置であり、前記確認手段の一つが内蔵されている前記ＣＣＤセンサであることを特徴とする請求項１または請求項２に記載の通信端末装置。
【請求項１０】
前記確認手段は、前記ＣＣＤセンサによって周囲の光量変化を検出することにより、前記機器が動作したかを確認することを特徴とする請求項９に記載の通信端末装置。
【請求項１１】
前記通信端末装置がマイクを内蔵した装置であり、前記確認手段の一つが内蔵されている前記マイクであることを特徴とする請求項１に記載の通信端末装置。
【請求項１２】
前記確認手段は、前記マイクによって周囲の音量変化を検出することにより、前記機器が動作したかを確認することを特徴とする請求項１１に記載の通信端末装置。
【請求項１３】
内部に設置されている各種機器の動作を制御する遠隔制御方法であって、
リモコンのコマンドを該当する機器に向けて送信する送信段階と、
前記コマンドによって機器が動作したかを確認する確認段階と、
確認結果を外部通信端末に送信する段階とを含むことを特徴とする遠隔制御方法。
【請求項１４】
外部通信端末から送信されてくる各種リモコンのコマンドに基づいて内部に設置されている各種機器の動作を制御する遠隔制御方法であって、
外部通信端末からの呼び出しに応答する応答段階と、
応答後に受信した外部からのコマンドをリモコンのコマンドに変換する変換段階と、
変換したコマンドを該当する機器に向けて送信する送信段階と、
前記コマンドによって機器が動作したかを確認する確認段階と、
確認結果を前記外部通信端末に送信する段階とを含むことを特徴とする遠隔制御方法。
【請求項１５】
各種リモコンのコマンドに基づいて内部に設置されている各種機器の動作を制御する通信端末装置に搭載されているコンピュータ読み取り可能な遠隔制御プログラムであって、
リモコンのコマンドを該当する機器に向けて送信する送信ステップと、
前記コマンドによって機器が動作したかを確認する確認ステップと、
確認結果を外部通信端末に送信する送信ステップとを含むことを特徴とする遠隔制御プログラム。
【請求項１６】
外部通信端末から送信されてくる各種リモコンのコマンドに基づいて内部に設置されている各種機器の動作を制御するリモコン制御装置に搭載されているコンピュータ読み取り可能な遠隔制御プログラムであって、
外部通信端末からの呼び出しに応答する応答ステップと、
応答後に受信した外部通信端末からのコマンドをリモコンのコマンドに変換する変換ステップと、
変換したコマンドを該当する機器に向けて送信する送信ステップと、
前記コマンドによって機器が動作したかを確認する確認ステップと、
確認結果を前記外部通信端末に送信する送信ステップとを含むことを特徴とする遠隔制御プログラム。
【請求項１７】
前記請求項１５または請求項１６に記載の遠隔制御プログラムを記録したコンピュータ読み取り可能な記録媒体。
【発明の詳細な説明】
【技術分野】
【０００１】
本発明は、屋外から電話回線等を通して室内に設置されているエアコンなどの機器の制御を行い、その結果を確認して外部のユーザに通知することのできる通信端末装置、遠隔制御方法、遠隔制御プログラム及び遠隔制御プログラムを記録した記録媒体に関する。
【背景技術】
【０００２】
従来より、屋外から電話回線等を通して室内に設置されているエアコンなどの機器を制御する技術が種々提案されている。
【０００３】
例えば、複数機種の被制御機器を、電話回線を介した電話機でリモートコントロ−ルできる汎用性のあるリモートコントロールホームオートメーション装置が提案されている（例えば、特許文献１参照）。
【０００４】
また、システムリモコンによって床暖房や室内機の運転状態の制御を可能にして、暖房運転及び冷房運転の制御を容易かつ簡便なものとした空気調和システムが提案されている（例えば、特許文献２参照）。
【０００５】
また、操作対象である電気機器の電源オン／オフの状態を把握することで、的確な遠隔操作を行うことができる遠隔操作システムが提案されている（例えば、特許文献３参照）。
【０００６】
また、利用者に宅内機器の状態を通信回線を介して通知する通信装置が提案されている（例えば、特許文献４参照）。
【０００７】
また、多種多様な機種に対応でき、既に市場で使用されている既存の機器も改造することなく、低コストな遠隔制御システムが提案されている（例えば、特許文献５参照）。
【特許文献１】特開平０８−１９５８２３号公報
【特許文献２】特開平０９−１５２１７６号公報
【特許文献３】特開２００１−０８６２５６号公報
【特許文献４】特開２００１−２４５３６４号公報
【特許文献５】特開２００２−３７４５８４号公報
【発明の開示】
【発明が解決しようとする課題】
【０００８】
しかしながら、上記特許文献１〜５に記載のものはいずれも、赤外線リモコンにより機器が実際に動作したかどうかは人間が確認することを前提に作られており、リモコンから機器への一方向のみの通信となっている。そのため、コマンドを受け取ったかどうかは、機器が発するブザー音等を操作者が直接確認する必要があった。
【０００９】
この場合、双方向のリモコンで対応しようとすると、コストアップになり、またエアコンなど耐久年数の長い家電製品の場合には、そのような機能を搭載した機種に買い換えなければ対応できないといった問題があった。
【００１０】
本発明はかかる問題点を解決すべく創案されたもので、その目的は、屋外から屋内の各リモコン機器をコントロールする場合において、双方向通信できない従来のリモコン機器についても動作確認を確実に行うことのできる通信端末置、遠隔制御方法、遠隔制御プログラム及び遠隔制御プログラムを記録した記録媒体を提供することにある。
【課題を解決するための手段】
【００１１】
上記課題を解決するために、本発明の通信端末装置は、外部と通信するための通信手段と、各種リモコンのコマンドを記憶する記憶手段と、コマンドを該当する機器に向けて送信する送信手段と、前記コマンドによって機器が動作したかを確認する確認手段とを備えており、確認結果を前記通信手段を通じて予め設定された外部通信端末に送信することを特徴としている。この場合、前記通信手段は、電話による音声メッセージにより確認結果を送信する構成とすることができる。また、前記通信手段は、メールにより確認結果を送信する構成とすることができる。
【００１２】
上記構成によれば、任意の機器が動作した場合に、確認手段によってその機器が動作しているかどうかを確認し、その確認結果をユーザ側に送信する構成としているので、所望する機器が本当に動作しているかどうかを外出先において確認することができる。
【００１３】
また、本発明の通信端末装置は、外部と通信するための通信手段と、各種リモコンのコマンドを記憶する記憶手段と、外部からの呼び出しに応答するための応答手段と、応答後に前記通信手段を介して受信した外部からのコマンドをリモコンのコマンドに変換する変換手段と、変換したコマンドを該当する機器に向けて送信する送信手段と、前記コマンドによって機器が動作したかを確認する確認手段とを備えており、確認結果を前記通信手段を通じて予め設定された外部通信端末に送信することを特徴としている。この場合、前記通信手段は、電話による音声メッセージにより確認結果を送信する構成とすることができる。また、前記通信手段は、メールにより確認結果を送信する構成とすることができる。
【００１４】
上記構成によれば、ユーザが外部からコマンドを送信することによって任意の機器を動作させた場合に、確認手段によってその機器が動作しているかどうかを確認し、その確認結果をユーザ側に送信する構成としているので、所望する機器が本当に動作しているかどうかを外出先において確認することができる。これにより、ユーザは、外出先からでも安心して屋内に設置されている各種機器（エアコンやテレビ等）をコントロールすることが可能となる。
【００１５】
この場合、前記通信手段が電話による音声メッセージの送信である場合、送信先である外部通信端末に優先順位をつけて優先順位の高い外部通信端末から電話をかけ、応答が無い場合に次の優先順位の外部通信端末に電話をかけなおすように構成してもよい。また、前記通信手段がメールによる送信である場合、複数のメールアドレスが設定されている場合には全てのメールアドレスに送信するように構成してもよい。これにより、例えば外部からコントロールした機器が正常に動作しているのか、または動作していないのかを、外出先のユーザ自身や予め登録されている他の者（家族や友人等）に確実に通知することが可能となる。
【００１６】
ここで、本発明では、前記通信端末装置をファクシミリ装置とし、前記確認手段の一つとしてファクシミリ装置に内蔵されているプリンタヘッドの温度を検出する温度センサを利用する。すなわち、温度センサによって周囲（室内）の温度変化を検出することにより、室内に設置されている機器が動作したかを確認する。例えば、機器がエアコンである場合には、エアコンが動作することで室内温度が変わるので、この変化をファクシミリ装置に元々内蔵されている温度センサを利用して検出する。このように、ファクシミリ装置に内蔵されている温度センサを確認手段として利用することで、確認手段としての温度センサを新たに設ける必要がなく、部品点数の削減及び低コスト化が可能となる。
【００１７】
また、本発明では、前記通信端末装置としてＣＣＤセンサを内蔵している装置（例えば、ファクシミリ装置、携帯電話機、ホームサーバー、ＰＤＡ等）を利用し、前記確認手段の一つとして装置に内蔵されているＣＣＤセンサ（例えば、ファクシミリ装置ではスキャナ部のＣＣＤセンサ、携帯電話機では光量検出用のＣＣＤセンサ）を利用する。すなわち、ＣＣＤセンサによって周囲の光量変化を検出することにより、室内に設置されている機器が動作したかを確認する。例えば、機器がリモコンでオン、オフできる蛍光灯である場合には、蛍光灯が点灯することで室内の光量が変化するので、この変化を、例えばファクシミリ装置に元々内蔵されているＣＣＤセンサまたは携帯電話機に内蔵されているＣＣＤセンサを利用して検出する。このように、装置に内蔵されているＣＣＤセンサを確認手段として利用することで、確認手段としての光検出センサを新たに設ける必要がなく、部品点数の削減及び低コスト化が可能となる。
【００１８】
また、本発明では、前記通信端末装置としてマイクを内蔵している装置（例えば、ファクシミリ装置や携帯電話機等）を利用し、確認手段の一つとしてファクシミリ装置に内蔵されているハンズフリー用のマイクまたは携帯電話機のマイクを利用する。すなわち、マイクによって周囲の音量変化を検出することにより、室内に設置されている機器が動作したかを確認する。例えば、機器がテレビである場合には、テレビの電源がオンすることで映像とともに音声が出力されるので、その音量をファクシミリ装置に元々内蔵されているマイクまたは携帯電話機のマイクを利用して検出する。また、機器がエアコンである場合には、動作時にモータによる駆動音や送風音が発生するので、その音量（ノイズ音）をファクシミリ装置に元々内蔵されているマイクまたは携帯電話機のマイクを利用して検出する。同様に、機器がビデオテープレコーダ（ＶＴＲ）である場合には、動作時（特に、電源オン時のローディング動作時や、電源オフ時の巻き戻し動作及びアンローディング動作時）に機械音が発生し、またテープの巻き取り音なども発生するので、その音量（ノイズ音）をファクシミリ装置に元々内蔵されているマイクまたは携帯電話機のマイクを利用して検出する。このように、ファクシミリ装置に内蔵されているマイクまたは携帯電話機のマイクを確認手段として利用することで、確認手段としての音量検出センサを新たに設ける必要がなく、部品点数の削減及び低コスト化が可能となる。
【００１９】
また、本発明の遠隔制御方法は、内部に設置されている各種機器の動作を制御するリモコン制御方法であって、リモコンのコマンドを該当する機器に向けて送信する送信段階と、前記コマンドによって機器が動作したかを確認する確認段階と、確認結果を外部通信端末に送信する段階とを含むことを特徴としている。
【００２０】
本発明の遠隔制御方法によれば、任意の機器が動作した場合に、確認手段によってその機器が動作しているかどうかを確認し、その確認結果をユーザ側に送信する構成としているので、所望する機器が本当に動作しているかどうかを外出先において確認することができる。
【００２１】
また、本発明の遠隔制御方法は、外部通信端末から送信されてくる各種リモコンのコマンドに基づいて内部に設置されている各種機器の動作を制御するリモコン制御方法であって、外部通信端末からの呼び出しに応答する応答段階と、応答後に受信した外部からのコマンドをリモコンのコマンドに変換する変換段階と、変換したコマンドを該当する機器に向けて送信する送信段階と、前記コマンドによって機器が動作したかを確認する確認段階と、確認結果を前記外部通信端末に送信する段階とを含むことを特徴としている。
【００２２】
本発明の遠隔制御方法によれば、ユーザが外部からコマンドを送信することによって任意の機器を動作させた場合に、その機器が動作しているかどうかを確認し、その確認結果をユーザ側に送信する構成としているので、所望する機器が本当に動作しているかどうかを外出先において確認することができる。これにより、ユーザは、外出先からでも安心して屋内に設置されている各種機器（エアコンやテレビ等）をコントロールすることが可能となる。
【００２３】
また、本発明の遠隔制御プログラムは、各種リモコンのコマンドに基づいて内部に設置されている各種機器の動作を制御するリモコン制御装置に搭載されているコンピュータ読み取り可能なリモコン制御プログラムであって、リモコンのコマンドを該当する機器に向けて送信する送信ステップと、前記コマンドによって機器が動作したかを確認する確認ステップと、確認結果を外部通信端末に送信する送信ステップとを含むことを特徴としている。
【００２４】
また、本発明の遠隔制御プログラムは、外部通信端末から送信されてくる各種リモコンのコマンドに基づいて内部に設置されている各種機器の動作を制御するリモコン制御装置に搭載されているコンピュータ読み取り可能なリモコン制御プログラムであって、外部通信端末からの呼び出しに応答する応答ステップと、応答後に受信した外部通信端末からのコマンドをリモコンのコマンドに変換する変換ステップと、変換したコマンドを該当する機器に向けて送信する送信ステップと、前記コマンドによって機器が動作したかを確認する確認ステップと、確認結果を前記外部通信端末に送信する送信ステップとを含むことを特徴としている。
【００２５】
また、本発明の遠隔制御プログラムは、コンピュータ読取可能な記録媒体に記録して提供することが可能である。この記録媒体によれば、本発明のリモコン制御装置を様々な場所や環境で実現することが容易となり、本発明の遠隔制御方法の汎用性を高めることができる。
【発明の効果】
【００２６】
本発明によれば、ユーザが外部からコマンドを送信することによって任意の機器を動作させた場合、または内部において任意の機器の動作をモニタリングした場合に、確認手段によってその機器が動作しているかどうかを確認し、その確認結果をユーザ側に送信する構成としているので、所望する機器が本当に動作しているかどうかを外出先において確認することができる。これにより、ユーザは、外出先からでも安心して屋内に設置されている各種機器（エアコンやテレビ等）をコントロールすることができる。
【００２７】
また、本発明によれば、リモコン制御装置として家庭に普及しているファクシミリ装置や携帯電話機を利用することにより、屋内に設置されている各種機器に対してコマンドを送信するファクシミリ装置や携帯電話機側には安価な赤外線発信装置のみを追加するだけでよく、エアコンなどのコマンド受信側はコストアップ無しで、現状のエアコンなどをそのまま使用することができる。また、本発明によれば、確認手段としてファクシミリ装置に元々内蔵されている温度センサやＣＣＤセンサやマイク、またはカメラを搭載している携帯電話機に元々内蔵されているＣＣＤセンサやマイクを利用して現環境を測定（検出）し、環境変化に応じて確認結果をユーザに送信する構成としているので、環境変化を検出するための新たなセンサを設ける必要がなく、リモコン制御装置を安価に提供することができる。さらに、ファクシミリ装置に元々内蔵されている温度センサやＣＣＤセンサやマイク、またはカメラを搭載している携帯電話機に元々内蔵されているＣＣＤセンサやマイクを利用することによって、外出時の簡易なセキュリティー装置としても利用することができる。
【発明を実施するための最良の形態】
【００２８】
以下、本発明の実施の形態について、図面を参照して説明する。
【００２９】
＜実施形態１＞
図１は、本発明の実施形態１に係る通信端末装置１Ａを利用した場合の全体構成図である。ここで、通信端末装置としては、ファクシミリ装置、ホームサーバー、携帯電話機、ＰＤＡ等の利用が可能である。
【００３０】
屋内に電話、ＦＡＸなど外部と通信可能な通信端末装置１Ａが設置されており、屋外の携帯電話機（外部通信端末）２Ａなどと通信ネットワークＮを介して相互通信する。また、通信端末装置１Ａには、屋内に設置されているエアコン３やビデオテープレコーダ（ＶＴＲ）４、蛍光灯５等のリモコンで制御できる機器にコマンドを送るための送信手段を備えている。
【００３１】
そして、外出前に通信端末装置１Ａを留守モードに設定しておき、携帯電話機２Ａから家に電話をかけると、通信端末装置１Ａが自動応答する。ここで、携帯電話機２Ａから暗証番号をＤＴＭＦ(Dual Tone Multiple Frequency)で送信すると、通信端末装置１Ａはコマンド待ち状態になる。この後、携帯電話機２Ａから室内のどの機器を動作させるのかを示すコマンドをＤＴＭＦで送信する。コマンドを受け取った通信端末装置１Ａは、内部に持っている各機器のコマンド対応表（これについては後述する）を参照し、対応表にあるコマンドを内蔵の赤外線装置で送信する。また、通信端末装置１Ａは、そのコマンドを受信した機器がどのように動作するかを対応表から取りだし、その通り動作したかを確認する。そして、動作していなかった場合には、緊急連絡先に電話またはメールを送信する。この場合、電話が通じなかった時に優先順位をつけて、次の優先順位の所に自動的に電話をかけるようにしてもよい。また、メールなどの場合は、予め登録されている全ての相手先に送信してもよい。
【００３２】
図２は、上記構成の通信端末装置の一例であるファクシミリ装置の全体構成図を示している。
【００３３】
本実施形態１のファクシミリ装置は、装置全体をコントロールするＣＰＵ１００、電話番号やメールアドレスを入力するための数字キーなどを備えた入力部１０１、ナンバーディスプレイ情報などを表示する液晶などの表示部１０２、ＲＡＭなどの記憶部１０３、携帯電話機２Ａ等の外部通信端末と双方向通信する第１通信部１０４、屋内に設置されたエアコン３などへコマンドを送信する赤外線リモコンなどの第２通信部１０５、本発明に係わるリモコン制御プログラムを格納した記憶媒体１０６、温度、明るさ、ノイズ（騒音）など周囲環境の情報を取得するセンサ群１０７、第１通信部１０４を通じて受信したコマンドをエアコン３などのコマンドに変換するコマンド対応表を格納した対応表格納部１０８、異常時に連絡するための連絡先情報等を格納したセキュリティーデータ格納部１０９、緊急連絡先に送信するメッセージを格納したメッセージ格納部１１０から構成されている。
【００３４】
図３は、セキュリティーデータ格納部１０９に格納されているセキュリティーデータの構成例を示している。このセキュリティーデータは、コマンド受付電話番号、４桁の暗証番号、緊急連絡先の各項目からなっている。
【００３５】
すなわち、本実施形態１の通信端末装置では、屋内の機器を他人に勝手にコントロールされると困るので、セキュリティーデータの暗証番号でチェックをかけるようにしている。さらに、誰からの電話に応答すればよいのかを確認するために、ナンバーディスプレイで受信した番号とセキュリティーデータのコマンド受付電話番号とを比較し、一致している場合にのみ動作するようにしている。また、外部からコントロールされた機器が正しく動作していない可能性のある場合には、セキュリティーデータの緊急連絡先に連絡するようにしている。緊急連絡先としては、受信した電話番号への発信、所定の電話番号への発信、所定のメールアドレスへの送信の３つの中から１つを選択できるようになっている。この例では、受信した電話番号への発信が選択（図３中に、○を付して示す）されている。
【００３６】
図４は、対応表格納部１０８に格納されているコマンド対応表の構成例を示している。
【００３７】
このコマンド対応表は、リモコン操作される機器、その機器の制御に用いられる受信コマンド、そのコマンドによる動作内容、機器の設定内容、送信コマンド、確認動作の各項目からなっている。ここで、設定内容の項目には、主としてＶＴＲ４の設定内容（録画開始時刻、録画終了時刻、チャンネル等）が格納されている。また、確認動作の項目には、それぞれの機器の動作内容に応じて、その動作を検出することが可能な最適な一つの確認手段（音、温度、明るさのいずれか一つのセンサ）が割り当てられており、これらセンサによる検出タイミングと検出条件（変化）とが設定できるようになっている。
【００３８】
図５ないし図１０は、図３に示すセキュリティーデータ、及び図４に示すコマンド対応表を設定する場合に、表示部１０２に表示される各種設定画面例を示している。
【００３９】
図５は、図３に示すセキュリティーデータのコマンド受付電話番号の設定画面例を示している。この設定画面は、外部のどの電話（携帯電話機、固定電話機等）からの指示を受け付けるのかを設定する画面である。セキュリティーに関わることなので、対象外の外部機器からの指示では動作しないように制限を設けるために、ユーザがこの設定画面から設定する。コマンド受付電話番号の数は、画面下の「追加」ボタンや「削除」ボタンを操作することによって任意に追加、削除が可能である。また、何も入力しない場合は、次の暗証番号だけでプロテクトをかけることとする。
【００４０】
図６は、図３に示すセキュリティーデータの暗証番号の設定画面例を示している。外部からコマンドが送信されてきたときに本人と断定するために、この設定画面で暗証番号の入力を行う。この暗証番号が設定されていない場合には、コマンドを受信してもリモコン操作を実行しない。
【００４１】
図７は、図３に示すセキュリティーデータの緊急連絡先の設定画面例を示している。この設定画面では、コマンドを送信してきた人のところに返信する場合の受信番号への発呼（符号７０１により示す）、予め設定されている電話番号への発呼（符号７０２により示す）、メールアドレスが設定されている場合のメール送信（符号７０３により示す）の中から緊急連絡先を選択して設定する。複数の電話番号が設定されている場合は優先順位をつける。そして、優先順位の高い電話にかけても応答が無かった場合に、次に優先順位の高いところに電話をかけていく。複数のメールアドレスが設定されている場合は、優先順位をつけて一番優先順位の高いメールアドレスに送信する。ただし、メールの特長を生かして全てのメールアドレスに一斉に送信してもよい。
【００４２】
図８は、図４に示すコマンド対応表の受信コマンドの設定画面例を示している。この設定画面例では、エアコン／蛍光灯／ＶＴＲなど機器番号に１桁、動作内容の動作／停止などのコマンドに２桁を設定する。ただし、動作内容の室内温度など付加情報は可変長桁を設定する。この例では、エアコン（機器Ｎｏ．１）の温度設定（コマンドＮｏ．０２）を１８．０度（付加情報１８０）にすることを示している。
【００４３】
図９は、屋内に設置されている各種機器の実際のコマンドを取得する取得方法をユーザに提示するためのリモコン受信画面例を示している。本実施形態１では、機器に対応した温度設定や動作など実際のコマンドを、機器本来の赤外線リモコンから直接受信し、対応して学習しておく手法をとっている。このような手法は従来周知の手法である。ただし、最初から各社のエアコンやＶＴＲなどの赤外線リモコンのコマンドを記憶しておくと、会社名と機器を指定することでコマンドを内部に設定することができる。この場合には、図９に示すコマンド受信画面を省略することができる。
【００４４】
図１０は、図４に示すコマンド対応表の確認動作の設定画面例を示している。この設定画面は、各機器に送信コマンドを出すことで何がどのように変化するかを指定する画面である。エアコンの場合は動作のオン／オフ後で室内の温度が変化する。暖房の場合は上がり、冷房の場合は下がる。この場合、動作し始めてから実際に室内全体の温度が変化するには時間がかかるため、この例ではこれを見越して５分後に室内温度を測定し、動作前と変化したかのチェックを行う。また、動作している前と後では室内の音量が変化する。動作前は静かであるが動作後は駆動音や送風音がノイズ音として発生する。従って、動作時には、動作前と動作３０秒後の室内音をそれぞれ測定し、動作後の音量が増加しているかのチェックを行う。また、動作停止時には、動作停止前と動作停止２０秒後の室内音をそれぞれ測定し、動作停止後の音量が減少しているかのチェックを行う。
【００４５】
また、蛍光灯の場合は、オンで明るくなり、オフで暗くなる。また、ＶＴＲなどの場合は、停止時に比べて動作時はテープの巻き取り音などで室内音が大きくなる。従って、外部からのコマンドによりタイマー予約などで留守録が設定された場合には、その設定時刻の前後で室内の音の大きさを測定し、大きくなっていれば正常に動作したと判断する。
【００４６】
図１１は、メッセージ格納部１１０に格納するメッセージ、すなわち送信内容の設定画面例を示している。この設定画面では、機器ごとに電話でのメッセージとメールでのメッセージを設定する。電話でのメッセージは、予めファクシミリ装置１Ａに格納されているデータから選択するか、自分で録音することが考えられる。音声合成手段を持っている場合は、文字列を入力することで送信時に音声合成で発生することが可能となる。
【００４７】
図１２は、メッセージ格納部１１０に格納されているメッセージ、すなわち送信内容例の一覧を示しており、図１１に示す設定画面で設定されたデータが格納されている。何も設定されていない場合には、デフォルトで出すメッセージが設定されている。これにより、メッセージを設定する手間を省くことができる。
【００４８】
次に、図４に示すコマンド対応表の確認動作に使用される確認手段の一実施例について説明する。
【００４９】
ファクシミリ装置１Ａには、図示しないプリンタヘッドの温度測定用にサーミスタが設けられている。従って、非動作時にはこのサーミスタを利用して環境温度（室内温度）を測定できる。また、ファクシミリ装置１Ａには、図示しない原稿の画像を読み取るためのスキャナー部にＣＣＤセンサが設けられている。従って、原稿読取範囲外に外部光を取り入れる窓を設けることで、非動作時には室内の明るさを測定できる。さらに、ファクシミリ装置１Ａには、ハンズフリー用のマイクが付いているものがある。従って、このマイクによって環境音のレベルを測定できる。
【００５０】
図１３は、上記構成のファクシミリ装置１Ａによるマイコン制御（遠隔制御）処理動作のフローチャートを示している。以下、このフローチャートを参照して、外部からコマンドが送信されてきたときのマイコン制御処理動作を説明する。
【００５１】
ユーザは、外出する前に、入力部１０１を操作してファクシミリ装置１Ａを留守モードに設定する（ステップＳ１１）。この留守モードの状態において、第１通信部１０４から外線着信があると、所定の回数呼出音が鳴った後、ＣＰＵ１００は自動応答する（ステップＳ１２）。自動応答の結果、留守録の設定であった場合（ステップＳ１３でＹｅｓと判断された場合）には、ＣＰＵ１００は留守録の再生など留守録対応のアプリケーションを動作させる（ステップＳ２９）。
【００５２】
一方、自動応答の結果がリモコンモードであった場合（ステップＳ１３でＮｏと判断された場合）には、かけてきた電話番号をナンバーディスプレイの情報から取り出し、取り出した電話番号がセキュリティーデータ格納部１０９に設定されているコマンド受付電話番号であるかどうかをチェックする（ステップＳ１４）。その結果、電話番号が不一致の場合には、その時点で電話を切り、処理を終了する。
【００５３】
一方、電話番号が一致する場合には、次に、かけてきたユーザに暗証番号を入力させ、その暗証番号がセキュリティーデータ格納部１０９に設定されている暗証番号と一致するかどうかを確認する（ステップＳ１５）。その結果、暗証番号が不一致である場合には、その時点で電話を切り、処理を終了する。一方、暗証番号が一致する場合には、その後に送信されてくるコマンドを受信して電話を切断する（ステップＳ１６）。
【００５４】
次に、ＣＰＵ１００は、対応表格納部１０８に格納されているコマンド対応表のコマンド変換表テーブルでコマンドを各機器のリモコンコマンドに変換する（ステップＳ１７）。このとき、動作確認のため、事前に各センサ（上記のサーミスタ、ＣＣＤセンサ、マイク等）から温度、明るさ、音などの現環境を測定して図示しない内部メモリに一旦格納し（ステップＳ１８）、変換したリモコンコマンドを第２通信部１０５から対応する機器に送信する（ステップＳ１９）。送信後、コマンド変換テーブルに記載されている時間（例えば、エアコンの温度設定であれば５分）を置いて（ステップＳ２０でＹｅｓと判断されると）、センサ（サーミスタ、ＣＣＤセンサ、マイク等）で再度必要な環境情報を取得する（ステップＳ２１）。そして、取得した結果を、コマンド変換表の確認動作の変化の項目に記載されている結果と比較し、変化の項目の条件に適合する正常動作である場合（ステップＳ２２でＹｅｓと判断された場合）には、処理を終了する。
【００５５】
一方、取得した結果が、変化の項目の条件に適合せず、異常と判断された場合（ステップＳ２２でＮｏと判断された場合）には、ＣＰＵ１００は、セキュリティーデータ格納部１０９から緊急連絡先を取り出し、緊急連絡時の処理が発呼処理か確認する（ステップＳ２３）。その結果、メール送信である場合（ステップＳ２３でＮｏと判断された場合）には、メール送信処理アプリケーションを起動する。すなわち、メッセージ格納部１１０から異常と判断された機器に対応したメール情報を取り出し、セキュリティーデータ格納部１０９に予め登録されているメールアドレスに対して取り出したメール情報を送信する（ステップＳ２４）。
【００５６】
一方、電話発呼である場合（ステップＳ２３でＹｅｓと判断された場合）には、セキュリティーデータ格納部１０９から緊急連絡先の電話番号を取り出して発呼処理を行い（ステップＳ２５）、応答があれば（ステップＳ２６でＹｅｓと判断されれば）、メッセージ格納部１１０から異常と判断された機器に対応した音声メッセージを取り出して出力する（ステップＳ２７）。ここで、発呼処理の結果、応答が無かった場合（ステップＳ２６でＮｏと判断された場合）には、予め登録されている優先順位に従って次の電話番号に電話
をかける（ステップＳ２８）。
【００５７】
なお、上記実施形態１では、異常と判断された場合にのみメッセージを送信するようにしているが、正常と判断された場合にも、正常に動作していることを知らせるメッセージを送信するようにしてもよい。これにより、ユーザは、外出先からのコントロールがうまくいっていることを確認することができる。
【００５８】
また、上記実施形態１では、ファクシミリ装置１Ａを通信端末装置として利用しているが、ファクシミリ装置１Ａに内蔵されている上記サーミスタ、ＣＣＤセンサ、マイクを利用して、簡易なセキュリティー装置を構築することが可能である。すなわち、ファクシミリ装置１Ａを留守モードにすると、一定周期で室温、明るさ、音の監視を行い、室温、明るさ、音のうちどれかに変化があった場合に緊急メッセージを外部に送信するように構成することが可能である。例えば、室温がある一定以上になった場合に火事の前兆と判断して火災発生のメッセージを例えば外出先のユーザの所持する外部通信端末２に送信する。また、カーテンを閉め外部の明かりが入らない状態にして外出した時に明るくなった場合は、侵入者が部屋の蛍光灯を点灯したと判断して、空き巣侵入のメッセージを例えば外出先のユーザの所持する外部通信端末２に送信する。さらに、誰も家に残っていない状態で大きな音がした場合は、ペットが騒いでいると判断し、ペットが騒いでいる旨のメッセージを外出先のユーザの所持する外部通信端末２に送信する。このように、各々の検出状況に応じてメッセージを送信することで、簡単なセキュリティー装置として利用できる。
【００５９】
＜実施形態２＞
図１４は、本発明の実施形態２に係る通信端末装置１Ｂを利用した場合の全体構成図であり、カメラ付きファクシミリ装置を利用した場合のブロック図である。また、図１５は、通信端末装置１Ｂの斜視図である。また、図１６及び図１７は、通信端末装置１Ｂの予め定める動作モードに含まれる留守モードにおける動作の手順を示すフローチャートである。
【００６０】
本実施形態２では、リモコン送信前の撮像データに基づき機器の動作状態を確認できる。
【００６１】
通信端末装置１Ｂは、例えば電話機能を有するファクシミリ装置として実現され、通信回線を介して画像を含む各種の情報を通信可能（すなわち、送受信可能）であり、処理対象としての前記情報を、処理要求に応じて処理する情報通信処理装置である。通信端末装置１Ｂは、例えば室内に設置されて用いられ、通信回線を介して、電話回線網を含む公衆回線網に接続され、他の通信装置によって遠隔操作することができる。留守モードは、例えば利用者が家を留守にするときに選択される動作モードである。
【００６２】
通信端末装置１Ｂは、カメラ部２０２、画像処理部２０３、表示部２０４、撮像データ記憶部２０５、操作部２０６、メール制御部２１１、ファクシミリ（以後、ＦＡＸと記載する場合がある）通信制御部２１２、留守モニター動作記憶部２１３、留守モニター動作制御部２１４、留守応答制御部２１５、ダイヤル制御部２１６、回線インタフェース（以下、Ｉ／Ｆと記載する）部２１７、スキャナ部２１８、印刷部２１９、ハンドセット２２０、アンテナ２２１、装置制御部２２２、スピーカ部２２３、輝度色差変換部２６１、圧縮・伸張部２６２、解像度変換部２６３、及び第２通信部２７０を含んで構成されている。
【００６３】
カメラ部２０２は、撮像レンズと、電荷結合素子（Charge Coupled Device；略称ＣＣＤ）イメージセンサ及び相補型モス（Complementary Metal Oxide Semiconductor；略称ＣＭＯＳ）イメージセンサなどの撮像素子と、増幅部と、アナログ／デジタル（Analog／Digital；略称Ａ／Ｄ）変換部とを含んで構成されている。撮像素子には、赤色（Ｒ）、緑色（Ｇ）、青色（Ｂ）の３色のカラーフィルタと、マイクロレンズアレイとが設けられている。
【００６４】
カメラ部２０２では、被写体は反射され撮像レンズを介して入射した光を、カラーフィルタを通じてＲ，Ｇ，Ｂの３色光にして、Ｒ，Ｇ，Ｂの３色光をそれぞれ撮像素子によって電気信号を増幅部によって増幅し、増幅Ｒ，Ｇ，Ｂに対応したアナログの電気信号をＡ／Ｄ変換部によってデジタルの電気信号に変換して、画像データを生成する。前記増幅部及びＡ／Ｄ変換部は、カメラ部２０２とは別に設けられてもよい。カメラ部２０２は、制御指令に基づいて、そのシャッタスピード及び増幅率を変更することができる。シャッタスピードは、撮像素子における電荷の蓄積時間によって決まる。カメラ部２０２は、情報を入力する入力手段である。また、カメラ部２０２は、上記実施形態１におけるセンサ群に対応しており、部屋の明るさや、部屋の画像的変化を確認することができる。
【００６５】
画像処理部２０３は、カメラ部２０２から与えられるデジタルの電気信号である画像データを、表示部２０４に適した画像フォーマットに変換する。画像処理部２０３は、例えばデジタルシグナルプロセッサ（Digital Signal Processor：略称ＤＳＰ）によって実現される。画像処理部２０３は、制御指令に基づいて、カメラ部２０２から与えられる画像データを処理し、これによってカメラ部２０２で撮像される画像の撮像倍率を変更することができる。これらカメラ部２０２と画像処理部２０３とを含んで撮像部が構成されている。
【００６６】
表示部２０４は、例えばカラー表示可能な透過型の液晶表示装置によって実現され、制御指令に基づいて情報を表示する。表示部２０４は、バックライトを有し、バックライトを点灯させて背後から照明することによって、情報である所定の文字及び画像を表示する。また表示部２０４は、表示用メモリを有し、この表示用メモリに表示させる画像データを一時的に格納する。表示装置２０４は、例えば縦方向が２４０画素であり、横方向が３２０画素のＱＶＧＡで表示する。
【００６７】
撮像データ記憶部２０５は、画像記憶部であり、制御指令に基づいて、表示部２０３の表示メモリに記憶されている画像データを圧縮した状態で記憶する。この画像データは、後述する圧縮・伸張部２６２によって予め定める圧縮方法で圧縮される。本実施形態２では、この画像データは静止画である。撮像データ記憶部５は、例えば情報の書き換えが可能なフラッシュメモリなどの半導体装置によって実現される。
【００６８】
操作部２０６は、ファンクションキー、テンキー、カーソルキー、決定キー及び留守モード設定キーなどの入力操作用の操作ボタンを含んで構成されている。操作者は、操作部２０６の各操作ボタンを操作することによって、処理対象としての情報を入力し、また情報の処理内容を表す処理要求を入力することができる。情報の処理内容は、例えば情報の送受信を含む。留守モード設定キーを操作することによって、装置制御部２２は、通信端末装置１Ｂを留守モードに切り換える。
【００６９】
操作部２０６は、本体操作部０２７とパネル操作部２０８とを含んで構成されている。本実施形態２の通信端末装置１Ｂでは、カメラ部２０２、画像処理部２０３、表示部２０４、撮像データ記憶部２０５、及び操作部２０６のパネル操作部２０８を含んで表示パネル２０９が構成され、表示パネル９は、通信端末装置本体１０に着脱可能に設けられる。
【００７０】
本実施形態２では、表示パネル２０９は、通信端末装置本体１０にヒンジなどによって角変位可能に設けられていてもよい。
【００７１】
メール制御部２１１は、制御指令に基づいて、電子メールの作成及び電子メールの送受信を行う。すなわち、メール制御部２１１は、電子メールの作成及び電子メールの送受信に必要な通信プロトコルなどの制御プログラムを記憶するメールプログラムメモリ、作成した電子メール及び受信した電子メールを記憶するメール記憶メモリ、及び前記制御プログラムを実行する処理回路を含んで構成されている。メールプログラムメモリは、例えばリードオンリーメモリ（Read Only Memory：略称ＲＯＭ）によって実現され、メール記憶メモリは、例えばフラッシュメモリなどの情報の書き換え可能な半導体装置によって実現される。メール記憶メモリには、電子メールを送受信するために通信回線を接続する予め定める接続先の情報が記憶されている。電子メールの作成は、メール作成機能を有するブラウザによって実現されている。ただし、電子メールの作成は、メーラーによって実現してもよい。
【００７２】
ＦＡＸ通信制御部２１２は、制御指令に基づいて、ファクシミリ通信を行う。ＦＡＸ通信制御部２１２は、例えば撮像データ記憶部２０５に記憶される画像データをファクシミリ通信に適した画像データに変換するための制御プログラム、及びファクシミリ通信に必要な通信プロトコルなどの制御プログラムを記憶するファクシミリプログラムメモリ、送信するファクシミリ画像及び受信したファクシミリ画像を記憶するファクシミリ記憶メモリ、及び前記制御プログラムを実行する処理回路を含んで構成されている。ファクシミリプログラムメモリは、例えばＲＯＭによって実現され、ファクシミリ記憶メモリは、例えばフラッシュメモリなどの情報の書き換え可能な半導体装置によって実現される。なお、ＦＡＸ通信制御部２１２は、上記実施形態１の第１通信部１０４に対応している。
【００７３】
留守モニター動作記憶部２１３は、ＲＯＭと、フラッシュメモリなど情報の書き換え可能な半導体装置とを含んで実現され、ＲＯＭには、留守モードにおける情報の処理にかかる通信端末装置１Ｂのルーチンワークなど、通信端末装置１Ｂにおける動作を達成するための制御プログラムを記憶している。具体的には、留守モニター動作記憶部２１３は、予め定める発信音信号を表す情報と、この予め定める発信音信号を表す情報に対応する動作モードとを記憶している。
【００７４】
表１は、留守モニター動作記憶部２１３に記憶される予め定める発信音信号を表す情報と、この予め定める発信音信号を表す情報に対応して記憶される動作モード、つまり制御プログラムを実行して達成される装置の動作との対応関係を示している。本実施形態２では、予め定める発信音信号は、予め定めるディーティーエムエフ（略称ＤＴＭＦ：Dual Tone Multi Frequency）信号によって表され、予め定める発信音信号を表す情報は、前記予め定める発信音信号に対応する情報である。
【００７５】
【表１】
2005065259.tif 000003
表１に示すように、例えば予め定める発信音信号を表す情報である「７♯」に対応して、カメラ撮像のみを行う動作モード、つまりカメラ部２０２によって撮像された画像情報を撮像データ記憶部２０５に記憶させる動作モードが記憶されている。また、例えば予め定める発信音信号を表す情報「８♯」に対応して、カメラ撮像及びメール送信を行う動作モード、つまりカメラ部２０２によって撮像された画像情報を、予め定める通知先に送信する動作モードが記憶されている。
【００７６】
また、留守モニター動作記憶部２１３に含まれるフラッシュメモリなどの書き換え可能な半導体装置には、予め定める通知先情報が記憶されている。予め定める通知先情報は、例えば電子メールのアドレス情報、及びファクシミリ番号情報の少なくともいずれか１つであり、本実施形態２では、予め定める通知先情報は、電子メールのアドレス情報であるとする。以後、電子メールのアドレス情報を、単にメールアドレスと記載する場合がある。予め定める通知先情報は、複数設定されてもよいが、本実施形態２では、１つであるとする。メールアドレスは、操作部２０６による入力操作によって設定することができる。
【００７７】
留守モニター動作制御部２１４は、処理回路によって実現され、制御指令に基づいて、留守モニター動作記憶部２１３に記憶される制御プログラムを実行する。また、留守モニター動作制御部２１４は、回線Ｉ／Ｆ部２１７を介して受信する呼出信号の回数を取得する。
【００７８】
留守応答制御部２１５は、認識部であり、制御指令に基づいて、留守応答を行う。ここで、留守応答とは、例えば通信回線を介して所定の応答情報であるメッセージ情報を送信し、通信回線を介して受信した音声情報を記憶する処理のことである。留守応答制御部２１５は、留守応答に必要な制御プログラムを記憶する留守応答プログラム記憶メモリ、受信した音声情報を記憶する留守応答記憶メモリ、及び制御プログラムを実行する処理回路を含んで構成されている。留守応答プログラムメモリは、例えばＲＯＭによって実現され、留守応答記憶メモリは、例えばフラッシュメモリなどの情報の書き換えが可能な半導体装置によって実現される。
【００７９】
留守応答記憶メモリは、認識情報記憶部であり、通信端末装置１Ｂを遠隔操作するために必要な予め定める認識情報である予め定める暗証番号情報を記憶する。予め定める暗証番号情報は、例えば４桁の数字で表される。この暗証番号情報は、操作部２０６からの入力操作によって設定可能とし、利用者によって予め設定して登録される。
【００８０】
ダイヤル制御部２１６は、処理回路によって実現され、操作部２０６のテンキーであるダイヤルキーによって入力される電話番号に対応した通信情報を通信回線に送出するように、ダイヤル番号の制御を行う。
【００８１】
回線Ｉ／Ｆ部２１７は、通信部であり、モデム及びネットワークコントロールユニット（Network Control Unit：略称ＮＣＵ）を含む。本実施形態２では、このモデムは、ファクシミリ通信用のモデムと、電子メール通信用のモデムとを含むが、ファクシミリ通信と電子メールの通信との両者モデム機能を有する１つのモデムで兼用してもよい。このモデムは、情報及び制御指令を含む送受信データを変復調する手段である。
【００８２】
ＮＣＵは、公衆電話交換ネットワークＰＳＴＮの通信回線への接続及び接続解除を制御し、他の通信装置との通信の開始及び終了を制御する。この通信は、情報の送信と情報の受信とを有する。ＮＣＵは、前記通信回線を介して呼出信号を受信すると、装置制御部２２２に通信回線を介して呼出信号を受信したことを通知する。
【００８３】
スキャナ部２１８は、原稿を読み取る手段である。読み取った原稿の画像は、処理対象の情報である。つまり、このスキャナ部２１８は、操作部２０６及び回線Ｉ／Ｆ部２１７と同様に、情報を入力する手段を構成する。
【００８４】
なお、スキャナ部２１８も上記実施形態１でいうセンサ群１０７に相応しており、光学読み取り部により部屋の明るさを検出することができる。
【００８５】
印刷部２１９は、情報を印刷する手段である。例えば、他の通信装置から受信した情報を印刷することもできるし、スキャナ部２１８で読み取った情報を印刷することもできる。この印刷部２１９は、情報の出力手段として機能する。スキャナ部２１８及び印刷部２１９を用いることによって、画像を複写することができる。
【００８６】
なお、印刷部2１９に印刷に用いるための温度センサ等があれば、センサ群として用いることが可能である。
【００８７】
ハンドセット２２０は、送話部及び受話部を有する。このハンドセット２２０の送話部から音声を入力し、受話部から音声を出力する。送話部から入力した音声を他の通信装置に送信することができ、他の通信装置から受信した音声を受話部から出力することができる。つまり、ハンドセットを用いて他の通信装置と通話することができる。この音声も処理対象としての情報であり、ハンドセット２２０は、情報の入力手段としての機能及び情報の出力手段としての機能を有する。従って、操作部２０６、スキャナ部２１８、及びハンドセット２２０を含んで通信端末装置１Ｂの入力手段が構成される。
【００８８】
また、通信端末装置１Ｂには、図示しない無線送受信部を含み、情報及び制御指示をアンテナ２２１（図１５参照）から電波として送信することができる。また、無線送受信部は、電波として到来する情報及び制御指令をアンテナ２２１を介して受信することができる。この無線送受信部及びアンテナ２２１は、電話機子機と無線通信するための手段である。
【００８９】
装置制御部２２２は、操作部２０６からの処理要求に基づいて、制御指令を送出して通信端末装置１Ｂの各部、具体的にはカメラ部２０２、画像処理部２０３、表示部２０４、撮像データ記憶部２０５、メール制御部２１１、ＦＡＸ通信制御部２１２、留守モニター動作制御部２１４、留守応答制御部２１５、ダイヤル制御部２１６、回線Ｉ／Ｆ部２１７及び輝度色差変換部２６１、圧縮・伸張部２６２及び解像度変換部２６３を制御する。
【００９０】
装置制御部２２２は、中央演算処理ユニット（Central Processing Unit：略称ＣＰＵ）と、制御プログラム記憶部とを含む。制御プログラム記憶部は、例えばＲＯＭによって実現され、前記通信端末装置１Ｂの各部を制御する制御プログラムが記憶されている。
【００９１】
装置制御部２２２は、図１４では、１つのブロックで示しているが、表示パネル２０９に設けられるパネル制御部と、通信端末装置本体１０（図１５参照）に設けられる本体制御部とを含む。パネル制御部及び本体制御部は、それぞれＣＰＵ及び制御プログラム記憶部を含む。パネル制御部と本体制御部とは、コネクタを介して相互に有線で通信可能に設けられる。本実施形態２において、表示パネル２０９及び通信端末装置本体１０に無線通信する無線通信部をそれぞれ設け、無線通信によって通信してもよい。
【００９２】
パネル制御部は、表示パネル２０９を通信端末装置本体１０から離脱させた状態では、表示パネル２０９に含まれる各部を制御する。本体制御部は、通信端末装置本体１０の各部を制御し、または表示パネル２０９が通信端末装置本体１０に装着されている場合には、表示パネル２０９に含まれる各部を含んで通信端末装置１Ｂを制御する。また、装置制御部２２２は、例えばフラッシュメモリ及びＲＡＭ（Random Access Memory：略称ＲＡＭ）などの制御記憶部を含み、この制御記憶部に表示パネル２０９における設定情報、例えば撮像部における撮像倍率に関する情報及び露出量に関する情報が記憶されている。
【００９３】
通信端末装置１Ｂは、ファクシミリ装置であるが、表示パネル２０９を通信端末装置本体１０に装着した状態で、表示部２０４に、インターネットに接続されたサーバーに開設されるホームページの内容を、処理対象の情報として扱い、表示させて閲覧することができる。前記ホームページの内容の閲覧は、メール制御部２１１に含まれるブラウザによって実現される。また、電子メールの内容を情報として扱い、表示部２０４に、電子メールを表示させて確認したり、電子メールを送受信したりすることができる。
【００９４】
なお、本実施形態２では、第２通信部２７０を表示パネル部に設けたので、通信端末装置本体１０に装着せずに単独で置かれていても遠隔操作可能である。
【００９５】
スピーカ部２２３は、発音部であり、通信回線を介して受信する呼出信号に応答した装置制御部２２２からの制御指令に基づいて、呼出音を発音する。また、スピーカ部２２３は、留守応答制御部２１５によって制御され、予め定めるメッセージ情報を発音する。
【００９６】
輝度色差変換部２６１は、制御指令に基づいて、画像処理部２０３から与えられるＲＧＢで表される画像データを、輝度Ｙ、青色差Ｃｂ及び赤色差Ｃｒで表されるＹＣｂＣｒ方式で表される画像データに変換する。また輝度色差変換部２６１は、制御指令に基づいて、ＹＣｂＣｒ方式で表される画像データをＲＧＢで表される画像データに変換する。
【００９７】
圧縮・伸張部２６２は、制御指令に基づいて、予め定める圧縮方法によって画像データを圧縮し、また圧縮された画像データを伸張する。予め定める圧縮方法は、たとえばＪＰＥＧ（Joint Photographic Expert Group）方式、ＭＨ（Modified Huffman）方式、ＭＲ（Modified Read）方式、ＭＭＲ（Modified Modified Read）方式、及びＪＢＩＧ（Joint Bi-level Image Coding Experts Group）方式を含む。例えば、ＪＰＥＧ方式では、輝度色差変換部２６１によってＹＣｂＣｒ方式に変換された画像データを圧縮する。
【００９８】
解像度変換部２６３は、制御指令に基づいて、画像データの解像度を変換する。例えば撮像部によって撮像された画像データをファクシミリ送信する場合に、ファクシミリ送信に適した解像度に画像データを変換する。
【００９９】
図１５に示すように、表示パネル２０９は、通信端末装置１Ｂを載置台に設置した状態で、通信端末装置１Ｂの斜め上方に臨む正面部に装着され、表示パネル２０９に設けられる表示部２０４の表示面、及び操作部２０６の操作ボタンの操作部位は、斜め上方に臨んでいる。これにより、操作者にとっては、表示部２０４に表示される文字及び画像が見やすく、また操作部２０６を操作しやすいといった利点がある。また、近傍に載置された機器へリモコン信号を送信する場合でも、送信しやすい角度となっている。
【０１００】
表示パネル２０９は、通信端末装置本体１０の幅方向の略中央部に装着され、正面部が臨む側から見て、表示パネル２０９の右側にテンキーなどが配置され、表示パネル２０９の左側にハンドセット２２０が配置される。また、表示パネル２０９の上部に、カメラ部２０２が設けられる。カメラ部２０２は、正面部に臨む側から見て通信端末装置１Ｂの幅方向に平行な軸線まわりに角変位自在に設けられる。通信端末装置本体１０を水平な載置面に載置したときに、カメラ部２０２の撮像レンズを正面側に向けたときの撮像レンズの光軸は、少なくとも水平にすることができる。
【０１０１】
通信端末装置本体１０の背後には、原稿をスキャナ部２１８に案内し、記録シートを印刷部２１９に案内する案内部材２２４が設けられている。
【０１０２】
次に、図１６及び図１７を参照して、通信端末装置１Ｂの留守モードにおける動作を説明する。操作部２０６は、留守モード設定ボタンを含み、この留守モード設定ボタンを操作することによって、装置制御部２２２に指令を与え、装置制御部２２２が留守モードに対応する制御プログラムを実行し、通信端末装置１Ｂが留守モードに設定される。
【０１０３】
操作部２０６による入力操作によって、通信端末装置１Ｂを留守モードに設定すると、ステップＳ１００からステップＳ１０１に移る。ステップＳ１０１では、回線Ｉ／Ｆ部２１７において、通信回線を介して所定の通信情報を受信したか否かを装置制御部２２２が判断する。所定の通信情報は、公衆電話交換ネットワークＰＳＴＮの通信回線からの呼出信号である。この呼出信号は、予め定める時間Ｔをあけて、定期的に送信される信号である。
【０１０４】
ステップＳ１０１において、装置制御部２２２が呼出信号を受信したと判断すると、ステップＳ１０２に移り、呼出信号を受信していないと判断すると、ステップＳ１０１を予め定める間隔をあけて繰返す。
【０１０５】
ステップＳ１０２では、装置制御部２２２は、呼出信号に応答した制御指令をスピーカ部２２３に与え、スピーカ部２２３に予め定める回数だけ呼出音を発音させた後、回線Ｉ／Ｆ部２１７に制御指令を与えて、通信回線に接続する。つまり、通信回線を介して所定の通信情報を受信し、かつ通信回線に所定の通信情報を送信可能な状態とするとともに、留守応答制御部２１５に制御指令を与えて、留守応答を開始させ、ステップＳ１０３に移る。留守応答制御部２１５は、所定の通信情報として応答メッセージ情報を回線Ｉ／Ｆ部２１７から通信回線に送信する。応答メッセージ情報は、例えば「ただいま電話に出ることができません…」という内容である。
【０１０６】
ステップＳ１０３では、留守応答制御部２１５が、応答メッセージ情報の送信が終了するまでに暗証番号情報を受信したか否か判断する。応答メッセージ情報の送信が終了するまでに通信回線を介して通信情報を受信した場合には、ステップＳ１０４に移る。
【０１０７】
ステップＳ１０４では、留守応答制御部２１５は、受信した通信情報と、応答記憶メモリに記憶されている予め定める暗証番号情報とを比較することによって、正しい暗証番号情報を受信したか、つまり予め定める暗証番号情報を受信したか否かを判断する。ステップＳ１０４において、予め定める暗証番号情報を受信したと判断した場合には、ステップＳ１０５に移る。留守応答制御部２１５は、暗証番号情報を受信したと判断した場合には、装置制御部２２２に暗証番号情報を受信したことを通知する。
【０１０８】
ステップＳ１０５では、装置制御部２２２は、留守モニター動作制御部２１４に制御指令を与え、留守モニター動作制御部２１４は、予め定める発信音信号を受信したか否かを判断する。留守モニター動作制御部２１４は、留守モニター動作記憶部２１３に記憶されている制御プログラムを実行し、留守モニター動作記憶部２１３に記憶されている予め定める発信音信号を受信したか否かを判断する。通信回線を介して予め定める発信音信号を受信したと判断した場合には、ステップＳ１０６に移り、予め定める発信音信号を受信していないと判断した場合には、ステップＳ１０５を繰返す。留守応答制御部２１５は、予め定める暗証番号情報を受信したと判断した場合には、装置制御部２２２に暗証番号情報を受信したことを通知する。
【０１０９】
ステップＳ１０６では、予め定める発信音信号を受信したことを表す情報、つまり遠隔操作の指令を受け付けたことを表す情報を留守モニター動作制御部２１４が回線Ｉ／Ｆ部２１７に送信させ、ステップＳ１０７に移る。予め定める発信音信号を受信したことを表す情報は、例えば所定の音情報によって表される。これにより、この所定の音情報を受信した他の通信装置に設けられるスピーカにおいて、所定の音を発音させることができる。
【０１１０】
ステップＳ１０７では、留守モニター動作制御部２１４が、留守モニター動作記憶部２１３に記憶されている予め定める発信音信号に対応する制御プログラムを実行して、装置制御部２２２とともに通信端末装置１Ｂの各部を制御して、ステップＳ１０８に移り、処理を終了する。
【０１１１】
一方、前述のステップＳ１０３において、留守応答制御部２１５が、応答メッセージ情報の送信が終了するまでに暗証番号情報を受信していないと判断した場合には、ステップＳ１０９に移り、留守応答処理部２１５は、予め定める処理を実行して、ステップＳ１０８に移り、処理を終了する。予め定める処理とは、留守番電話の応答処理である。留守番電話の応答処理では、通信回線を介して受信する音声信号を記憶する処理を含む。
【０１１２】
一方、前述のステップＳ１０４において、予め定める暗証番号情報とは異なる他の暗証番号情報を受信したと判断すると、ステップＳ１１０に移る。ステップＳ１１０では、留守応答制御部２１５が、回路Ｉ／Ｆ部２１７によって、前記他の暗証番号情報を受信した回数を判定し、他の暗証番号情報を受信した回数が予め定める回数を超えたか否かを判断する。予め定める回数は、例えば３回とする。
【０１１３】
ステップＳ１１０において、他の暗証番号情報を受信した回数が予め定める回数を超えていないと判断した場合には、ステップＳ１０３に移り、他の暗証番号情報を受信した回数が予め定める回数を超えたと判断した場合には、ステップＳ１１１に移る。留守応答制御部２１５は、他の暗証番号情報を受信した回数が予め定める回数を超えたと判断した場合、装置制御部２２２に他の暗証番号情報を受信した回数が予め定める回数を超えたことを示す情報を与える。
【０１１４】
ステップＳ１１１では、装置制御部２２２が撮像部を不能動化し、第２通信部も不能動化する。つまり、他の暗証番号情報を受信した回数が予め定める回数を超えたことを示す情報を受取ると、装置制御部２２２は、カメラ部２０２及び画像処理部２０３を制御して、撮像させたり、リモコン信号を送信させないように制御する。ステップＳ１１１の処理が終了すると、ステップＳ１０９に移る。これによって、暗証番号情報を複数回リトライして通信端末装置１Ｂに与え、不正に遠隔操作して撮像部によって撮像しようとする行為を防止することができる。
【０１１５】
なお、他の実施形態として、ステップＳ１１１では、回路Ｉ／Ｆ部２１７によって通信回線を切断してもよい。この場合も、暗証番号情報を複数回リトライして通信端末装置１Ｂに与え、回線が切断されることによって、セキュリティを高める効果がある。
【０１１６】
通信回線を介して通信が行われる他の通信装置が通信回線を切断する、つまり他の通信装置において、通信端末装置１Ｂとの間の通信状態を切断することによって、図１６に示すフローチャートの処理を終了させることができる。また、図１６に示すフローチャートの処理を終了すると、再びステップＳ１０１に移る。また、留守モードの設定を解除することによって、図１６に示すフローチャートの処理を終了させることができる。
【０１１７】
図１７は、図１６のステップＳ１０６において、受信した発信音信号により、カメラ部２０２によって撮像された画像情報による機器動作確認結果を、予め定める通知先に送信する動作モードが選択された場合の、通信端末装置１Ｂの処理動作の手順を示すフローチャートである。図１７では、表１に示した「８♯」に対応する発信音信号を受信した場合について示している。
【０１１８】
図１６に示すステップＳ１０６が終了すると、ステップＳ２００からステップＳ２０１に移る。ステップＳ２０１では、留守モニター動作制御部２１４は、カメラ部２０２及び画像処理部２０３に制御指令を与え、カメラ部２０２及び画像処理部２０３を起動させて撮像させ、ステップＳ２０２に移る。
【０１１９】
ステップＳ２０２では、留守モニター動作制御部２１４は、装置制御部２２２及び撮像データ記憶部２０５に制御指令を与えて、ステップＳ２０１で撮像して得られた画像データを圧縮した状態で撮像データ記憶部２０５に記憶させ、リモコンコマンドを変換して（ステップＳ２０２ａ）、所定時間後に撮像し（ステップＳ２０２ｂ）、撮像した画像データを記憶（ステップＳ２０２ｃ）してから両者を比較し（ステップＳ２０２ｄ）、ステップＳ２０３に移る。ここで、動作確認方法として、機器の表示部の変化や明度の変化を比較することが挙げられる。例えばビデオの表示部が点灯し、予約を示すインジケータが点灯したら動作したと判断できる。なお、リモコン動作前の画像は予め記憶しておいてもよい。
【０１２０】
ステップＳ２０３では、留守モニター動作制御部２１４は、メール制御部２１１に制御指令を与えて、電子メールを作成させる。メール制御部２１１では、メール作成機能付きブラウザによって、電子メールが作成される。メール制御部２１１で作成される電子メールの宛先、つまり通知先には前述した留守モニター動作記憶部２１３に記憶される通知先の情報が用いられる。
【０１２１】
図１８は、メール制御部２１１によって作成される電子メールを表示部２０４に表示させた状態を示している。電子メールには、送信先を表す宛先領域３２５、電子メールの表題を表す件名領域３２６、電子メールの内容を表す本文領域３２７、及び電子メールに添付されるデータを表す添付データ領域３２８が設けられている。宛先領域３２５には、予め定める通知先が設定される。件名領域３２６には、例えば「留守番カメラリモート画像」という文章が記載され、本文領域３２７には、例えば「留守番カメラリモート画像と確認結果を送付します。」という文章が記載される。件名領域３２６及び本文領域３２７に記載される文章は、定型文とする。添付データ領域３２８には、前記ステップＳ２０２において、撮像データ記憶部２０５に記憶されたリモコン制御の画像データを表す情報が記載され、これによって前記画像データが、電子メールに添付される。なお、送信は確認結果だけでも良いし、確認前後の画像を送っても良い。
【０１２２】
ステップＳ２０３が終了すると、ステップＳ２０４に移る。ステップＳ２０４では、通信回線が切断されているか否かを判断する。つまり、ステップＳ２０４では、通信回線を介して前記発信音信号を受信した他の通信装置との通信が切断されているか否かを判断する。ステップＳ２０４において、通信回線が切断されていると判断した場合、ステップＳ２０５に移る。
【０１２３】
ステップＳ２０５では、メール制御部２１１によって予め定める接続先に通信回線を接続、つまり予め定める接続先との間で通信可能な状態にする。メール制御部２１１は、装置制御部２２２を介してダイヤル制御部２１６及び回線Ｉ／Ｆ部２１７を制御し、例えば通信事業者の提供するインターネット接続サービスのアクセスポイントに接続する、または予め定めるインターネット接続事業者、いわゆるプロバイダの接続ポイントにダイヤルアップ接続して、所定の通信情報の送受信が可能な状態とする。
【０１２４】
ステップＳ２０６では、メール制御部２１１が、回線Ｉ／Ｆ部２１７を介して、ステップＳ２０３において作成した電子メールを送信して、ステップＳ２０７に移る。
【０１２５】
ステップＳ２０７では、メール制御部２１１が、制御指令を回線Ｉ／Ｆ部２１７に与え、回線Ｉ／Ｆ部２１７が通信回線を切断してステップＳ２０８に移り、図１７に示すフローチャートの処理を終了して、図１６のステップＳ１０８に移る。
【０１２６】
一方、前述のステップＳ２０４において、通信回線が切断されていないと判断した場合には、ステップＳ２０９に移る。ステップＳ２０９では、回線を切断、つまり通信を切断してステップＳ２０５に移る。
【０１２７】
なお、他の通信装置との通信を切断していなくても電子メールの送信が可能な場合、例えばＡＤＳＬ（Asymmetric Digital Subscriber Line）を利用して電子メールを送信する場合などにおいては、図１７に示すステップＳ２０４及びステップＳ２０５の処理を省略してもよい。
【０１２８】
また、図１７に示すフローチャートでは、受信した発信音信号により、カメラ部２０２によって撮像された画像情報を予め定める通知先に送信する動作モードが選択された場合の、通信端末装置１Ｂの処理動作を示しているが、例えば受信した発信音信号により、カメラ部２０２によって撮像された画像情報を撮像データ記憶部２０５に記憶させる動作モードが選択された場合には、通信端末装置１Ｂの処理動作は、図１７に示すフローチャートと同様であり、ステップＳ２０１及びステップＳ２０２の処理が終了すると、ステップＳ２０８に移る。
【０１２９】
図１９は通信端末装置１Ｂを含むシステムの構成を概略的に示す系統図であり、図２０はユーザ端末装置２Ｂが通信端末装置１Ｂによって得られる画像データを取得するための、通信端末装置１Ｂとユーザ端末装置２Ｂとの間の通信動作を概略的に表すシーケンス図である。ユーザ端末装置２Ｂは、例えば携帯電話装置であり、表示部を有し、表示部に画像を表示させることができる。通信端末装置１Ｂには、（１）留守モードが設定され、かつ、（２）予め定める通知先である送信先のメールアドレスが登録されている。前記送信先のメールアドレスに送信される電子メールは、ユーザ端末装置２Ｂによって受信することができるものであるとする。
【０１３０】
まず、ユーザ端末装置２Ｂから通信端末装置１Ｂに電話をかける、つまり通信端末装置１Ｂと通信するための識別情報である電話番号をダイヤルすると、通信端末装置１Ｂでは、通信回線である電話回線を介して呼出信号を受信し、着信する（手順１）。
【０１３１】
通信端末装置１Ｂでは、留守モードが設定されているので、回線を接続し、通信端末装置１Ｂとユーザ端末装置２Ｂとによって通信可能な状態として、留守応答制御部２１５が「ただいま…」という応答メッセージを送信する。このときに、ユーザ端末装置２Ｂに設けられるキーを操作して、例えば記号「♯」＋４桁の暗証番号をトーン入力する、つまり予め定める暗証番号情報を表す予め定める所定のＤＴＭＦ信号を送信する（手順２）。
【０１３２】
通信端末装置１Ｂでは、予め定める暗証番号情報を受信すると、予め定める発信音信号、言い換えればリモート指示情報を待ち受ける状態となる。本実施形態２では、暗証番号情報を受信すると、留守応答制御部２１５が、例えば「新しい要件は…」という遠隔操作を促す応答メッセージ情報を送信してもよい。
【０１３３】
利用者は、リモコン操作前後でカメラ部２０２によって撮像させ、得られた画像データをユーザ端末装置２Ｂによって受信する場合、予め定める発信音信号を送信するため、リモート指令情報である「８」及び「♯」を順番にトーン入力する。通信端末装置１Ｂでは、リモート指示情報に対応した発信音信号を受信し、指令を受け付けたことを示す音情報を送信する。ユーザ端末装置２Ｂでは、この音情報を受信すると、受話器によって予め定める音が発音されるので、利用者は、通信端末装置１Ｂが予め定める発信音信号を受信したことを確認することができる（手順３）。
【０１３４】
この場合、リモート指令情報を連続して２回入力してもカメラ部２０２によって撮像できない場合には、通信端末装置１Ｂは、指令を受け付けないことを示す音情報を送信してもよい。通信端末装置１Ｂでは、カメラ部２０２によって撮像し、得られた画像データが撮像データ記憶部２０５に記憶される。
【０１３５】
利用者は、通信端末装置１Ｂに予め定める発信音信号を送信することによって動作指令を与えた後に、ユーザ端末装置２Ｂと通信端末装置１Ｂとの通信を切断する（手順４）。
【０１３６】
ユーザ端末装置２Ｂとの通信が切断されると、メール制御部２１１が有するメール作成機能付きのブラウザによって電子メールが作成される。電子メールには前述したように、カメラ部２０２によって撮像し、得られた画像データが添付される。電子メールの作成は、回線切断後、数十秒程度で開始される。
【０１３７】
電子メールが作成されると、予め定める接続先に通信回線を接続して、指定登録アドレス、つまり登録されている送信先のメールアドレスに電子メールを送信する。ここで、着信衝突及び回線使用中である場合など予め定める接続先に接続することができない場合には、予め定める時間間隔を設けて、予め定める接続先に接続するようにしてもよい。電子メールは、メールサーバ３２に格納され、メールサーバ３２からユーザ端末装置２Ｂに送信されることによって、またはユーザ端末装置２Ｂがメールサーバ３２に通信回線を接続することにより電子メールを受信することによって、ユーザ端末装置２Ｂにおいて、画像データが添付された電子メールを受信することができる（手順５）。
【０１３８】
また、メールサーバ３２からユーザ端末装置２Ｂへは、電子メールの本文だけが送信され、ユーザ端末装置２Ｂがメールサーバ３２に通信回線を接続することによって、画像データを受信する構成であってもよい。
【０１３９】
このように利用者は、例えば外出先であっても、ユーザ端末装置２Ｂを操作することによって、遠隔地にある通信端末装置１Ｂに、例えばリモコン操作前後の室内を撮像させ、得られた画像データと確認結果をユーザ端末装置２Ｂによって受信可能な通知先に送信させることにより、室内の様子を知ることができる。
【０１４０】
また、本発明の通信端末装置によれば、遠隔操作するためには、受信した所定の通信情報に含まれる認証情報が、留守応答記憶メモリに記憶されている予め定める認証情報と一致する必要があるので、予め定める認証情報を送信することができる特定の利用者のみが、遠隔操作によってリモコン制御させることができる。従って、不特定多数の操作者によって遠隔操作されることが防止される。また、予め定める暗証番号情報及び予め定める発信音信号は、例えばディーティーエムエフ（ＤＴＭＦ）信号によって表され、このような信号は、様々な通信機器、例えば電話機及び携帯電話機の入力部を操作することによって、送信することができる。従って、様々な通信機器から遠隔操作することができ、利便性が向上される。
【０１４１】
また、通信端末装置１Ｂでは、一旦回線を切断した後、設定されたサーバーに電子メールに添付された画像データを送信する構成としており、かつ画像データの送付先については、外部から設定することはできず、通信端末装置１Ｂを保有している利用者のみが設定することができるので、不所望に撮像部によって得られる画像データが取り出される可能性は低い。
【０１４２】
図１４に示すフローチャートは、予め定める動作モードに含まれる留守モードにおける動作処理について示しているが、予め定める動作モードには、在宅モードが含まれる。在宅モードは、留守モードを設定してない状態の動作モードである。在宅モードでは、指定の着信回数が経過するまでに、オフフックなどの利用者による回線補足操作が行われない場合、指定着信回数に到達した時点で、装置制御部２２２が回線Ｉ／Ｆ部２１７に回線を補足させ、留守応答制御部２１５が回線Ｉ／Ｆ部２１７から「ただ今近くにおりません…」という応答メッセージ情報を相手側に送信する。この場合、通信端末装置１Ｂは、留守モードの場合と同様に動作し、つまり図１６に示すフローチャートのステップＳ１０２〜ステップＳ１１１までの処理と同様な動作を実行する。これによって、応答メッセージが流れている間に、通信回線を介して暗証番号情報を与え、また予め定める発信音信号を与えることによって、遠隔操作することができる。従って、留守モードを設定し忘れて外出した場合であっても、利用者は遠隔操作することができる。
【０１４３】
＜プログラム及び記録媒体＞
以上説明した通信端末装置は、外部からのコマンドを受けて屋内に設置された各種機器をリモコン制御する遠隔制御処理を機能させるためのプログラムで実現されている。
【０１４４】
発明の対象とするのは、このプログラムそのものであってもよいし、このプログラムがコンピュータで読み取り可能な記録媒体に格納されているものであってもよい。
【０１４５】
本発明では、この記録媒体として、図２に示されている記憶媒体１０６そのものがプログラムメディアであってもよいし、また、図示していない外部記憶装置としてプログラム読み取り装置が設けられ、そこに記録媒体を挿入することで読み取り可能なプログラムメディアであってもよい。いずれの場合においても、格納されているプログラムはマイクロコンピュータがアクセスして実行させる構成であってもよいし、あるいはいずれの場合もプログラムを読み出し、読み出されたプログラムは、マイクロコンピュータの図示しないプログラム記憶エリアにロードされて、そのプログラムが実行される方式であってもよい。このロード用のプログラムは予め本体装置に格納されているものとする。
【０１４６】
ここで、上記プログラムメディアは、本体と分離可能に構成される記録媒体であり、磁気テープやカセットテープ等のテープ系、ＦＤ（フレキシブルディスク）やＨＤ（ハードディスク）等の磁気ディスクやＣＤ−ＲＯＭ／ＭＯ／ＭＤ／ＤＶＤ等の光ディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【０１４７】
また、本発明においては、インターネットを含む通信ネットワークと接続可能なシステム構成であることから、通信ネットワークからプログラムをダウンロードするように流動的にプログラムを担持する媒体であってもよい。なお、このように通信ネットワークからプログラムをダウンロードする場合には、そのダウンロード用プログラムは予め装置本体に格納しておくか、あるいは別の記録媒体からインストールされるものであってもよい。
なお、記録媒体に格納されている内容としてはプログラムに限定されず、データであってもよい。
【０１４８】
さらに、本発明では、プログラム自体として、図２に示されているＣＰＵ１００で実行される処理そのものであってもよいし、あるいはインターネットを含む通信ネットワークとアクセスすることで取り込める、あるいは取り込んだものであってもよいし、こちらから送り出すものであってもよい。さらには、この取り込んだプログラムに基づいて、上記通信端末装置内で処理された結果、つまり生成されたものであってもよい。あるいは、こちらから送り出す際に上記通信端末装置内で処理された結果、つまり生成されたものであってもよい。なお、これらのものはプログラムに限定されず、データであってもよい。
【産業上の利用可能性】
【０１４９】
本発明の通信端末装置は、屋内に設置されたエアコン、ビデオテープレコーダ、蛍光灯等の各種機器を外出先からコントロールする遠隔制御装置として、例えば一般家庭での使用に活用できる。
【図面の簡単な説明】
【０１５０】
【図１】本発明の実施形態１に係る通信端末装置を利用した場合の全体構成図である。
【図２】本発明に係わるファクシミリ装置の全体構成図である。
【図３】セキュリティーデータ格納部に格納されているセキュリティーデータの構成例を示す説明図である。
【図４】対応表格納部に格納されているコマンド対応表の構成例を示す説明図である。
【図５】セキュリティーデータのコマンド受付電話番号の設定画面例を示す説明図である。
【図６】セキュリティーデータの暗証番号の設定画面例を示す説明図である。
【図７】セキュリティーデータの緊急連絡先の設定画面例を示す説明図である。
【図８】コマンド対応表の受信コマンドの設定画面例を示す説明図である。
【図９】屋内に設置されている各種機器の実際のコマンドを取得する取得方法をユーザに提示するためのリモコン受信画面例を示す説明図である。
【図１０】コマンド対応表の確認動作の設定画面例を示す説明図である。
【図１１】メッセージ格納部に格納する送信内容の設定画面例を示す説明図である。
【図１２】メッセージ格納部に格納されている送信内容例の一覧を示す説明図である。
【図１３】本実施形態１のファクシミリ装置による遠隔制御処理動作を説明するためのフローチャートである。
【図１４】本発明の実施形態２に係る通信端末装置を利用した場合の全体構成図である。
【図１５】実施形態２に係る通信端末装置の斜視図である。
【図１６】実施形態２の通信端末装置の予め定める動作モードに含まれる留守モードにおける動作の手順を示すフローチャートである。
【図１７】図１６のステップＳ１０６において、受信した発信音信号により、カメラ部によって撮像された画像情報による機器動作確認結果を、予め定める通知先に送信する動作モードが選択された場合の、通信端末装置の処理動作の手順を示すフローチャートである。
【図１８】メール制御部によって作成される電子メールを表示部に表示させた状態を示す説明図である。
【図１９】実施形態２に係る通信端末装置を含むシステムの構成を概略的に示す系統図である。
【図２０】ユーザ端末装置が通信端末装置によって得られる画像データを取得するための、通信端末装置とユーザ端末装置との間の通信動作を概略的に表すシーケンス図である。
【符号の説明】
【０１５１】
１Ａ，１Ｂ  ファクシミリ装置（通信端末装置）
２Ａ  携帯電話機
２Ｂ  ユーザ端末装置
３  エアコン
４  ビデオテープレコーダ（ＶＴＲ）
５  蛍光灯
１００  ＣＰＵ
１０１  入力部
１０２  表示部
１０３  記憶部
１０４  第１通信部
１０５  第２通信部
１０６  記憶媒体
１０７  センサ群（サーミスタ、ＣＣＤセンサ、マイク）
１０８  対応表格納部
１０９  セキュリティーデータ格納部
１１０  メッセージ格納部
２０２  カメラ部
２０３  画像処理部
２０４  表示部
２０５  撮像データ記憶部
２０６  操作部
２０７  本体操作部
２０８  パネル操作部
２１１  メール制御部
２１２  ＦＡＸ通信制御部
２１３  留守モニター動作記憶部
２１４  留守モニター動作制御部
２１５  留守応答制御部
２１６  ダイヤル制御部
２１７  回線Ｉ／Ｆ部
２１８  スキャナ部
２１９  印刷部
２２０  ハンドセット
２２２  装置制御部
２２３  スピーカ部
２６１  輝度色差変換部
２６２  圧縮・伸張部
２６３  解像度変換部
２７０  第２通信部
【図１】
2005065259.tif 000004
【図２】
2005065259.tif 000005
【図３】
2005065259.tif 000006
【図４】
2005065259.tif 000007
【図５】
2005065259.tif 000008
【図６】
2005065259.tif 000009
【図７】
2005065259.tif 000010
【図８】
2005065259.tif 000011
【図９】
2005065259.tif 000012
【図１０】
2005065259.tif 000013
【図１１】
2005065259.tif 000014
【図１２】
2005065259.tif 000015
【図１３】
2005065259.tif 000016
【図１４】
2005065259.tif 000017
【図１５】
2005065259.tif 000018
【図１６】
2005065259.tif 000019
【図１７】
2005065259.tif 000020
【図１８】
2005065259.tif 000021
【図１９】
2005065259.tif 000022
【図２０】
2005065259.tif 000023